(57)【要約】【課題】簡単な手段により健常者や色覚障害者が生産機械の現在の状況に絡んで表示されるメッセージに気付き易いようにする。【解決手段】カラー表示器に表示されるキャラクタ画像２８は、該メッセージが託された有彩色からなる背景画像と、背景画像と同意のメッセージが託された記号及び文字情報とを有している。背景画像の有彩色に対し、色相環上で等色相差の関係となる有彩色と色相環上の対角上にある補色との間に挟まれていて背景画像の有彩色との識別が可能な有彩色を文字情報の表示色とする。キャラクタ画像２８は文字情報を記号から離した位置に配置すると共に文字情報と記号とを背景画像によって包囲した単一の画像とする。記号は、黒色によって該メッセージを託す形を構成する黒色部分と、黒色部分の輪郭に沿い黒色部分より幅狭の白色で黒色部分を囲む白色部分とを有する。【選択図】図２
2010160193.tif 000002
【特許請求の範囲】
【請求項１】
生産機械の現在の状況に関連付けられたキャラクタ画像を構成する画像データを複数種類記憶した記憶手段と、この記憶手段からこの画像データを読み出してその画像データに基づきカラー表示器の表示領域の一部である特定の表示領域にキャラクタ画像を表示し、生産機械の駆動装置を操作信号に基づき作動させる制御手段とを備え、
特定の表示領域に表示される前記キャラクタ画像は、生産機械の現在の状況に絡んだメッセージが託された有彩色からなる背景画像と、この背景画像と同意のメッセージが託された記号及び文字情報とを有し、
前記背景画像２９の有彩色に対し、色相環上において等色相差の関係となる有彩色と色相環上の対角上にある補色との間に挟まれていて前記背景画像の有彩色との識別が可能な有彩色を前記文字情報の表示色とし、
前記キャラクタ画像は、前記文字情報を前記記号から離した位置に配置すると共にこの文字情報と記号とを前記背景画像によって包囲した単一の画像である
ことを特徴とする生産機械の表示制御装置。
【請求項２】
生産機械の現在の状況に関連付けられたキャラクタ画像を構成する画像データを複数種類記憶した記憶手段と、この記憶手段からこの画像データを読み出してその画像データに基づきカラー表示器の表示領域の一部である特定の表示領域にキャラクタ画像を表示し、生産機械の駆動装置を操作信号に基づき作動させる制御手段とを備え、
特定の表示領域に表示される前記キャラクタ画像は、生産機械の現在の状況に絡んだメッセージが託された有彩色からなる背景画像と、この背景画像と同意のメッセージが託された記号とを有し、
この記号は、黒色によってメッセージを託す形を構成する黒色部分と、この黒色部分の輪郭に沿い黒色部分より幅狭の白色でこの黒色部分を囲む白色部分とを有し、有彩色からなる前記背景画像によってこの白色部分の外周が囲まれている
ことを特徴とする生産機械の表示制御装置。
【請求項３】
前記文字情報の表示色は単一の有彩色であり、前記記号はメッセージを託す形を構成する黒色部分と、この黒色部分の輪郭に沿い黒色部分より幅狭の白色でこの黒色部分を囲む白色部分とを有することを特徴とする請求項１に記載の生産機械の表示制御装置。
【請求項４】
前記カラー表示器の表示領域のうち、前記キャラクタ画像が表示される特定の表示領域を囲む部分の色は、キャラクタ画像の背景画像より色調が薄いことを特徴とする請求項１〜３のうちいずれか一つに記載の生産機械の表示制御装置。
【請求項５】
前記カラー表示器はタッチパネル方式の表示器であって、そのカラー表示器の表示領域には、操作ボタン画像が表示されていると共に、キャラクタ画像を操作ボタン画像から隔てるべく、メッセージ枠が表示されており、そのメッセージ枠によってキャラクタ画像が囲まれていることを特徴とする請求項１〜４のうちいずれか一つに記載の生産機械の表示制御装置。
【請求項６】
手動の選択切り替えがなされてカラー表示器の表示画面が別の表示画面に切り替わった際に、新たな表示画面においても、前記キャラクタ画像が表示されることを特徴とする請求項１〜５のうちいずれか一つに記載の生産機械の表示制御装置。
【発明の詳細な説明】
【技術分野】
【０００１】
この発明は、製品の製造や包装や搬送などの生産工程で使用される生産機械の表示制御装置に関するものである。
【背景技術】
【０００２】
包装機には、下記特許文献１のごとく、生産機械の設定状況を表示する表示装置が設置されている。通常、このような表示装置にはカラーディスプレイが使用され、生産機械の状況が変化した際に、作業者に対して注意を喚起する内容などのメッセージが表示手段或いは音によって発せられる。この表示手段の一例としては、表示画面の表示色を部分的に変えることにより、生産機械の現在の状況に絡んだメッセージに対して気付き易いように工夫されている。
【０００３】
しかし、このように表示色を変えることは、健常者にとっては見易いが、特定の色を識別できない色覚障害者にとっては、画面の配色次第で識別し難くなってしまう。このような色覚障害者に対しては、ユニバーサルデザインといった観点から、表示画面の表示色の工夫に検討の余地が残されている。
【０００４】
このような点を解決するために、下記特許文献２のごとく、画面切り替えキーを操作して、通常画面から、色覚障害者が認識可能な色覚障害者用画面に切り替え可能にする検討もなされている。
【０００５】
しかし、健常者用として構成された表示画面を、色覚障害者用の画面に切り替えるためには、特殊なプログラムを作成することが必要になる。また、特殊なプログラムを起動させる際に既存のシステムメモリが不足する恐れがある。まして、色覚障害の種類によって判別可能な色が異なるため、色覚障害の種類に応じた表示画面を複数作成しなければならない。
【先行技術文献】
【特許文献】
【０００６】
【特許文献１】特許第３５２９６５１号公報
【特許文献２】特開２００５−７８３５９号公報
【発明の概要】
【発明が解決しようとする課題】
【０００７】
本発明は、生産機械の表示制御装置において、簡単な手段により、健常者や、特定の色を識別できない色覚障害者が、生産機械の現在の状況に絡んで表示されるメッセージに気付き易いように改良することを目的とする。
【課題を解決するための手段】
【０００８】
請求項１の発明に係る生産機械の表示制御装置は下記のように構成されている。
生産機械の現在の状況に関連付けられたキャラクタ画像２８を構成する画像データを複数種類記憶した記憶手段２４と、この記憶手段２４からこの画像データを読み出してその画像データに基づきカラー表示器２６の表示領域の一部である特定の表示領域にキャラクタ画像２８を表示し、生産機械の駆動装置２，９，１３，１７，２１ａ,２１ｂを操作信号に基づき作動させる制御手段２５とを備えている。特定の表示領域に表示される前記キャラクタ画像２８は、生産機械の現在の状況に絡んだメッセージが託された有彩色からなる背景画像２９と、この背景画像２９と同意のメッセージが託された記号３０及び文字情報３１とを有している。前記背景画像２９の有彩色に対し、色相環上において等色相差の関係となる有彩色と色相環上の対角上にある補色との間に挟まれていて前記背景画像２９の有彩色との識別が可能な有彩色を前記文字情報３１の表示色とした。前記キャラクタ画像２８は、前記文字情報３１を前記記号３０から離した位置に配置すると共にこの文字情報３１と記号３０とを前記背景画像２９によって包囲した単一の画像である。
【０００９】
請求項２の発明に係る生産機械の表示制御装置は下記のように構成されている。
生産機械の現在の状況に関連付けられたキャラクタ画像２８を構成する画像データを複数種類記憶した記憶手段２４と、この記憶手段２４からこの画像データを読み出してその画像データに基づきカラー表示器２６の表示領域の一部である特定の表示領域にキャラクタ画像２８を表示し、生産機械の駆動装置２，９，１３，１７，２１ａ,２１ｂを操作信号に基づき作動させる制御手段２５とを備えている。特定の表示領域に表示される前記キャラクタ画像２８は、生産機械の現在の状況に絡んだメッセージが託された有彩色からなる背景画像２９と、この背景画像２９と同意のメッセージが託された記号３０とを有している。この記号３０は、黒色によってメッセージを託す形を構成する黒色部分３０ａと、この黒色部分３０ａの輪郭に沿い黒色部分３０ａより幅狭の白色でこの黒色部分３０ａを囲む帯状の白色部分３０ｂとを有し、有彩色からなる前記背景画像２９によってこの白色部分３０ｂの外周が囲まれている。
【００１０】
請求項１の発明を前提とする請求項３の発明において、前記文字情報３１の表示色は単一の有彩色であり、前記記号３０はメッセージを託す形を構成する黒色部分３０ａと、この黒色部分３０ａの輪郭に沿い黒色部分３０ａより幅狭の白色でこの黒色部分３０ａを囲む白色部分３０ｂとを有する。
【００１１】
請求項１〜３の発明のうちいずれか一つを前提とする請求項４の発明において、前記カラー表示器２６の表示領域のうち、前記キャラクタ画像２８が表示される特定の表示領域を囲む部分３３の色は、キャラクタ画像２８の背景画像２９より色調が薄い。
【００１２】
請求項１〜４の発明のうちいずれか一つを前提とする請求項５の発明において、前記カラー表示器２６はタッチパネル方式の表示器であって、そのカラー表示器２６の表示領域には、操作ボタン画像３２ａ，３２ｂ，３２ｃ，３２ｄ，３２ｅ，３２ｆ，３２ｇ，３２h，３２ｉが表示されていると共に、キャラクタ画像２８を操作ボタン画像３２ａ，３２ｂ，３２ｃ，３２ｄ，３２ｅ，３２ｆ，３２ｇ，３２h，３２ｉから隔てるべく、メッセージ枠３３が表示されており、そのメッセージ枠３３によってキャラクタ画像２８が囲まれている。
【００１３】
請求項１〜５の発明のうちいずれか一つを前提とする請求項６の発明において、手動の選択切り替えがなされてカラー表示器２６の表示画面が別の表示画面に切り替わった際に、新たな表示画面においても、前記キャラクタ画像２８が表示される。
【発明の効果】
【００１４】
請求項１の発明では、表示領域の一部である特定の表示領域に表示されるキャラクタ画像２８の背景色から、生産機械の現在の状況に絡んだメッセージを確認できなかった色覚障害者の人でも、背景画像２９の有彩色に対し、色相環上において等色相差の関係となる有彩色と色相環上の対角上にある補色との間に挟まれていて前記背景画像２９の有彩色との識別が可能な有彩色を前記文字情報３１の表示色に使用することで、文字情報３１が視認可能になる。また、人は、色と文字情報と記号との順番で託されたメッセージを直感的に認識し易いとされていることから、背景画像２９の有彩色を識別できない色覚障害者にとっては、色の次に認識し易いとされている文字情報３１を上記キャラクタ画像２８によって視認し得るため、生産機械の現在の状況に絡んだメッセージを確認し易くなる。さらに、文字情報３１の意味が分からない人のために、補助的に記号３０を設けているが、文字情報３１は、記号３０に重なることなく、背景画像２９によって囲まれた状態で表示されるので、特定の色を識別できない色覚障害者にとっては生産機械の現在の状況に絡んだメッセージを確認し易くなる。
【００１５】
請求項２の発明では、キャラクタ画像２８において有彩色からなる背景画像２９と記号３０の黒色部分３０ａとが記号３０の白色部分３０ｂによって分離され、その白色部分３０ｂがその黒色部分３０ａの明度の数値より高い明度に設定されているので、背景画像２９に特定の有彩色が使用された際に、色覚障害者は、その背景画像２９の有彩色を認識できなくても、メッセージが託された記号３０の黒色部分３０ａを、健常者のみならず、特定の色を識別できない色覚障害者も把握し易く、生産機械の現在の状況に絡んだメッセージを確認し易くなる。
【００１６】
請求項３の発明では、記号３０の白色部分３０ｂによって、有彩色からなる背景画像２９と記号３０の黒色部分３０ａとが分離されているので、メッセージが託された記号３０の黒色部分３０ａを把握し易く、さらに、生産機械の現在の状況に絡んだメッセージを確認し易くなる。
【００１７】
請求項４の発明では、キャラクタ画像２８の周りがキャラクタ画像２８の背景画像２９より色調が薄いため、キャラクタ画像２８が目立つように表示され、有彩色の背景画像２９から生産機械の現在の状況に絡んだメッセージが確認し易くなる。
【００１８】
請求項５の発明では、メッセージ枠３３によって、キャラクタ画像２８と操作ボタン画像３２ａ，３２ｂ，３２ｃ，３２ｄ，３２ｅ，３２ｆ，３２ｇ，３２h，３２ｉとを区分けることで、生産機械の現在の状況に絡んだメッセージを確認し易くなる。
【００１９】
請求項６の発明では、複数の画面にキャラクタ画像２８が表示されることで、部分的に色が識別できない色覚障害者が生産機械の現在の状況に絡んだメッセージを継続して把握することができる。
【図面の簡単な説明】
【００２０】
【図１】横形製袋充填機を概略的に示すシステム図である。
【図２】カラー表示画面の一例を示す正面図である。
【図３】カラー表示画面の別例を示す正面図である。
【図４】キャラクタ画像の一例を示す正面図である。
【図５】（ａ）は１２色相環図であり、（ｂ）は１２色相環図の等色相差関係図であり、（ｃ）は１２色相環図の補色関係図であり、（ｄ）は１２色相環図の類似色相関係図である。
【発明を実施するための形態】
【００２１】
図１に概略的に示すように産業機械として例示した包装機としての横形製袋充填機においては、エンコ−ダ１が付設されたサーボモータ２(駆動装置)によりフィルム繰出し機構３が駆動して帯状フィルム５がフィルムロール４から製袋手段６に引き出し案内され、その製袋手段６で筒状フィルム７が成形されると共に、エンコ−ダ８が付設された速度制御モータ９(駆動装置)により駆動する物品供給コンベヤ１０が物品１１をこの筒状フィルム７内に所定間隔毎に供給し、エンコ−ダ１２が付設されたサーボモータ１３(駆動装置)により駆動する一対の送りローラ１４がこの筒状フィルム７の搬送方向に沿う重合端縁部を挟持して搬送方向の下流側に向けて移送し、その一対の送りローラ１４の下流位置に配設された縦シ−ル手段１５でエンコ−ダ１６が付設されたサーボモータ１７(駆動装置)により駆動する一対の加熱シールローラ１８が帯状フィルム５の重合端縁部に縦シ−ルを施した後に、その縦シ−ル手段１５の下流位置に配設された横シ−ル手段１９でエンコ−ダ２０ａ，２０ｂが付設されたサーボモータ２１ａ，２１ｂ（駆動装置）により駆動する一対の両加熱シールバー２２ａ，２２ｂが筒状フィルム７に各物品１１間で横シールを施す。
【００２２】
電源（図示せず）をＯＮにすると、処理装置２３は、内蔵する記憶手段２４から横形製袋充填機の作動状態に応じた画像データを読み出し、内蔵する制御手段２５によりこの画像データに基づきタッチパネルディスプレイであるカラー表示器２６に例えば図２や図３に示すようなカラー表示画面を映し出す。また、処理装置２３は、起動スイッチ２７の操作により操作信号を入力し、前記各モータ２，９，１３，１７，２１ａ,２１ｂを作動させる。
【００２３】
例えば、図２や図３に示すように前記カラー表示器２６（タッチパネルディスプレイ）に映し出されたカラー表示画面においては、カラー表示器２６の表示領域の一部である特定の表示領域にキャラクタ画像２８が表示される。図４に示すように、このキャラクタ画像２８は背景画像２９と記号３０と文字情報３１とによって構成されている。
【００２４】
前記背景画像２９の色の種類は、緑色と黄色と赤色との３種類であり、横形製袋充填機の現在の状況に絡んで以下のような色が選択表示される。緑色は、人体又は環境の安全に関して「安全」である際や、工程の状態が正常の際に表示される。黄色は、人体又は環境の安全に関して「注意レベル」である際や、工程の状態が異常である際に表示される。赤色は、人体又は環境の安全に関して「危険」である際や、工程の状態が非常（緊急）である際に表示される。
【００２５】
前記キャラクタ画像２８の記号３０と文字情報３１とは、人体又は環境の安全や工程の状態を補助的に表すために、前記背景画像２９の色に関連付けられている。即ち、いずれも横形製袋充填機の現在の状況に絡んで表され、背景画像２９が緑色の場合には文字情報３１が「ＧＯ」で記号３０が「○」であり、背景画像２９が黄色の場合には文字情報３１が「ＷＡＩＴ」で記号３０が「△」であり、背景画像２９が赤色の場合には文字情報３１が「ＳＴＯＰ」で記号３０が「×」である。文字情報３１は記号３０に重なることなく背景画像２９内に配置されるようにデザインされ、背景画像２９と文字情報３１と記号３０は単一の画像データとして構成されて前記記憶手段２４に記憶される。
【００２６】
なお、背景画像２９と文字情報３１と記号３０とを各々データとして記憶手段２４に記憶し、カラー表示器２６表示領域に表示する際に、各データを重合する処理を行って、単一のキャラクタ画像２８を構成する周知の方法を使ってもよい。
【００２７】
文字情報３１の色については、図５（ａ）に示す１２色相環図を基に、図５（ｂ）に示すように色相環上において等色相差（正三角形）の関係となる有彩色と、図５（ｃ）に示すように色相環上の対角上にある補色との間に挟まれていて、図５（ｄ）に示すように背景画像２９の有彩色との識別が可能な有彩色が採用される。従って、背景画像２９の色が１２色相環図においては、ＮＯ.１（赤色）の場合は、ＮＯ.６及びＮＯ.８の色が採用されることになる。ちなみに、ＮＯ.１（赤色）、ＮＯ.３（黄）、ＮＯ.５（緑）、ＮＯ.７（シアン）、ＮＯ.９（青）、ＮＯ.１１（マゼンダ）になっている。背景画像２９が緑色や黄色の場合も同様に、文字情報３１の色が決定される。
【００２８】
このように、背景画像２９の色と文字情報３１の色との関係を定める理由は、健常者に対しては、有彩色を変化させることで、横形製袋充填機の現在の状況に絡んだメッセージを確認し易くし、背景画像２９に使用する一部の色が識別できない色覚障害者に対して、文字情報３１の色を認識し易くするためである。なお、部分的に色が識別できない色覚障害の症状としては、赤を暗く感じて赤とその補色が灰色に見える赤色盲（赤色弱）と、緑を暗く感じて緑とその補色が灰色に見える緑色盲（緑色弱）と、非常にまれな青色盲（青色弱）などの症状が知られている。
【００２９】
記号３０については、黒色によってメッセージを託す形を構成する黒色部分３０ａと、黒色部分３０ａの輪郭に沿い黒色部分３０ａより幅狭の白色で黒色部分３０ａを囲む白色部分３０ｂで形成されている。その白色については８５％〜１００％の明度範囲、且つ、０％〜１３％の彩度範囲から色調が選択され、その黒色についてはその白色とみなす色調のうちいずれかの補色が選択される。白色部分３０ｂの外周は有彩色からなる背景画像２９によって囲まれている。記号３０において白色部分３０ｂが黒色部分３０ａの輪郭に沿い黒色部分３０ａを囲むことによって、いかなる有彩色からなる背景画像２９に対しても黒色部分３０ａを明瞭にすることができる。
【００３０】
なお、本実施形態では、記号３０の輪郭が黒色及び白色の実線によって形成されているが、点線等の不連続線で輪郭を形成しても同様の効果を奏す。また、黒色部分３０ａとは黒色で塗り潰されている場合に限らず黒色の点や線の集まりで全体として黒く見えたりする場合も含み、白色部分３０ｂとは白色で塗り潰されている場合に限らず白色の点や線の集まりで全体として白く見えたりする場合も含む。
【００３１】
さらに、本実施形態では、カラー表示器２６（タッチパネルディスプレイ）の表示領域の前面に透明のタッチパネルが設置されていて、フィルムに印刷されたレジマークをレジマークセンサ（図示せず）により検出することによってフィルムの位置を調整するレジマーク補正や、横シールと同時にエンドシール及びカット位置を補正するカット位置や、所定時間あたりに製品を何個包装するかを設定入力する項目である設定包装能力と設定された包装能力に対する実包装能力である現在包装能力や、何らかの補正項目を追加することができる＊＊＊印の箇所など、設定値の変更を可能とする複数の操作ボタン画像３２ａ，３２ｂ，３２ｃ，３２ｄが表示領域に表示されている。また、複数品種の兼用包装時における各包装品種毎に設定された包装機の動作データを切り替える製品切替や、部品交換時期等のメンテナンスに関する情報を表示するメンテナンス情報や、生産履歴などを表示する生産情報や、操作説明（HELP）画面を表示する？マークや、MAINの左下の枠内で運転状況に関する補正や温度などの各種メッセージ等を表示するサブ表示エリアや、その他にも各種の包装動作に関連する項目の設定表示切替用操作ボタンを追加できるようにされている箇所など、表示画面の切り替えを可能とする複数の操作ボタン画像３２ｅ，３２ｆ，３２ｇ，３２h，３２ｉが表示領域に表示されている。そのため、複数の操作ボタン画像３２ａ，３２ｂ，３２ｃ，３２ｄ，３２ｅ，３２ｆ，３２ｇ，３２ｈ，３２ｉとキャラクタ画像２８とを隔てるべく、表示領域には、無彩色のメッセージ枠３３がキャラクタ画像２８を囲むように表示される。無彩色のメッセージ枠３３はキャラクタ画像２８の背景画像２９より色調が薄く設定されているので、キャラクタ画像２８の背景画像２９の色が目立ち、明瞭に識別することができる。従って、生産機械の現在の状況に絡んだメッセージをより一層把握し易くなる。さらに、本実施形態では、操作ボタンとして表示された操作ボタン画像３２ｅ，３２ｆ，３２ｇ，３２h，３２ｉが操作されることにより、表示画面（例えば図２のカラー表示画面）が別の表示画面（例えば図３のカラー表示画面）に切り替わった際に、新たな表示画面においても、キャラクタ画像２８が表示される。そのため、表示画面が切り替わっても、部分的に色が識別できない色覚障害者は生産機械の現在の状況を継続して把握することが可能になる。なお、この表示画面にはこれまでの合計包装数を示す生産数も表示される。
【００３２】
前記実施形態以外にも例えば下記のように構成してもよい。
・  本実施形態は、横形製袋充填機のカラー表示器２６（タッチパネルディスプレイ）にキャラクタ画像２８を表示したが、製品の製造や包装や搬送などの生産工程で、オペレータが確認しながら作業を行う生産機械のカラー表示器２６にキャラクタ画像２８を表示してもよい。
【００３３】
・  本実施形態では、１２色相環図に基づき文字情報の色を決定したが、２４色相環や３６色相環などに基づき文字情報３１の色を決定してもよい。
・  ２４色相環や３６色相環においても、色相環上において等色相差（正三角形）の関係となる有彩色と、色相環上の対角上にある補色との間に挟まれていて前記背景画像２９の有彩色との識別が可能な有彩色を採用することによって、１２色相環を例示した本実施形態の場合と同様の効果を得ることができる。
【００３４】
・  タッチパネルについては、抵抗膜方式や、赤外線方式、電磁誘導方式静電容量方式など様々な方式の中から選択し採用してもよい。
【符号の説明】
【００３５】
２４…記憶手段、２５…制御手段、２６…カラー表示器、２８…キャラクタ画像、２９…背景画像、３０…記号、３０ａ…黒色部分、３０ｂ…白色部分、３１…文字情報、３３…メッセージ枠。
【図１】
2010160193.tif 000003
【図２】
2010160193.tif 000004
【図３】
2010160193.tif 000005
【図４】
2010160193.tif 000006
【図５】
2010160193.tif 000007